(57)【要約】      （修正有）【課題】筆記具の収納本数を増やし、不使用時に上下方向にペンなどが抜け出ることを阻止し、見開き状に起立させることもできる筆記具ケースを提供する。【解決手段】左右の収納面は、それぞれが第１収納室５と第２収納室６を有する。左右の第１収納室５は、左右収納面の下部において、上方を開口させつつ、素材をジグザグ状に折り曲げて凹凸部５１，５２を形成したものである。筆記具ケース１が折り目３で折り畳まれたとき、それぞれの凹凸部分５１，５２が互いにかみ合う。左右の第２収納室６は、左右収納面の上部にあり、筆記具ケース１が折り目３で折り畳まれたときも重ならない位置にあると共に、第１収納室５に収納した物品が抜け出ることを阻止する。【選択図】図１
2016202279.tif 000002
【特許請求の範囲】
【請求項１】
所要幅を有する中央の折り目（３）とその折り目（３）の左右に位置する収納面（２１，２２）を有する本体（２）と、開閉用バンド（４）からなる筆記具ケース（１）であって、
前記左右の収納面（２１，２２）は、それぞれが第１収納室（５）と第２収納室（６）を有し、
前記左右の第１収納室（５）は、前記左右収納面（２１，２２）の下部において、上方を開口させつつ、素材をジグザグ状に折り曲げて凹凸部（５１，５２）を形成したものであり、前記筆記具ケース（１）が前記折り目（３）で折り畳まれたとき、左右の収納面（２１，２２）のそれぞれの凹凸部分（５１，５２）が互いにかみ合うものであり、
前記左右の第２収納室（６）は、前記左右収納面（２１，２２）の上部にあり、前記筆記具ケース（１）が前記折り目（３）で折り畳まれたときも重ならない位置にあると共に、前記第１収納室（５）に収納した物品が抜け出ることを阻止する
ことを特徴とする筆記具ケース（１）。
【請求項２】
前記本体（２）は腰のある素材を皮革張りしてなるものである請求項１記載の筆記具ケース（１）。
【請求項３】
前記左右の第２収納室（６）は横方向に向き合って開口し、前記筆記具ケース（１）が前記折り目（３）で折り畳まれたとき、左右収納面（２１，２２）のほぼ上部全体をふさぐものである請求項１または２記載の筆記具ケース（１）。
【請求項４】
前記第１収納室（５）はペンや鉛筆などの細長い物品を収納し、前記第２収納室（６）は付箋や消しゴムなどの短寸のものを収納するものである請求項１〜３のいずれかに記載の筆記具ケース（１）。
【請求項５】
前記左右収納面（２１，２２）にさらに第３収納室（７）及び第４収納室（８）を設けた請求項１〜４のいずれかに記載の筆記具ケース（１）。
【発明の詳細な説明】
【技術分野】
【０００１】
本発明は文房具としての筆記具ケースに関する。
【背景技術】
【０００２】
筆箱、ペンケース、筆入れ、などと呼ばれる筆記具ケースは、学生時代には多用するが、社会に出ると意外に無頓着になる人が多い。理由はいろいろあろうが、整理するのが下手だったり、持ち物がかさばるのを嫌ったりすることも主要な理由となるに違いない。文房具をかさばらないように整理して収納でき、必要なものは素早く出し入れでき、なおかつ見栄えのするものがあれば、潜在的な需要は大きいものと思われる。
【０００３】
従来の技術として、例えば、ペンなどを整理するための仕切りを設けるとともに、バンドで閉じる形式の筆記具ケースである実開昭５２―１０１１５がある。
【先行技術文献】
【特許文献】
【０００４】
【特許文献１】実開昭５２―１０１１５
【発明の概要】
【発明が解決しようとする課題】
【０００５】
上記従来の考案では、ペンが１列に並べられているだけで、収納本数が限られている。
【０００６】
また、この考案では、不使用時に上下方向にペンなどが抜け出ることは開閉金具によって阻止されているようであるが、鉛筆を収納したときには金具によって芯の先がつぶれてしまう可能性がある。
【０００７】
さらに、この考案では、使用時にはケースを開けて横置きにして用いる。机の上のスペースなどの関係で見開き状に起立させたいと思ってもそうすることができない。
【０００８】
本発明は、これらの点を改良した筆記具ケースを提供することを目的とする。
【課題を解決するための手段】
【０００９】
本発明は、所要幅を有する中央の折り目３とその折り目３の左右に位置する収納面２１，２２を有する本体２と、開閉用バンド４からなる筆記具ケース１であって、
前記左右の収納面２１，２２は、それぞれが第１収納室５と第２収納室６を有し、
前記左右の第１収納室５は、左右収納面の下部において、上方を開口させつつ、素材をジグザグ状に折り曲げて凹凸部５１，５２を形成したものであり、
前記筆記具ケース１が前記折り目３で折り畳まれたとき、左右の収納面２１，２２のそれぞれの凹凸部分５１，５２が互いにかみ合うものであり、
前記左右の第２収納室６は、左右収納面２１，２２の上部にあり、前記筆記具ケース１が前記折り目３で折り畳まれたときも重ならない位置にあると共に、前記第１収納室５に収納した物品が抜け出ることを阻止することを特徴とする（請求項１）。
【００１０】
好ましくは、前記本体２は腰のある素材を皮革張りしてなるものである（請求項２）。
【００１１】
好ましくは、前記左右の第２収納室６は横方向に向き合って開口し、前記筆記具ケース１が折り目で折り畳まれたとき、左右収納面のほぼ上部全体をふさぐものである（請求項３）。
【００１２】
好ましくは、前記第１収納室５はペンや鉛筆などの細長い物品を収納し、前記第２収納室６は付箋や消しゴムなどの短寸のものを収納する（請求項４）。
【００１３】
好ましくは、前記左右収納面２１，２２にさらに第３収納室７及び第４収納室８を設ける（請求項５）。
【発明の効果】
【００１４】
本発明請求項1の発明によると、筆記具ケース１を閉じると、左右収納面２１，２２の第１収納室５の凹凸部分５１，５２がかみ合ってコンパクトに折りたたむことができる。凹凸がかみ合っているので、衝撃に対する緩衝能力も高い。また、筆記具ケース１を閉じると、左右の第２収納室６が重なることなく、並列するので、コンパクトに折りたたむことができる。この状態では、筆記具ケース１の上部が第２収納室６により塞がれるので、第１収納室５に入れられていたペンなどは上方へ抜け出ることがない。
【００１５】
本発明請求項２の発明によると、筆記具ケース１が腰のある素材を皮革張りしてなるものであるので、筆記具ケース１を開いた状態で起立させることができると共に、高級感を醸し出すことができる。
【００１６】
以下、添付の図面に基づき、本発明の１実施例を説明する。
【図面の簡単な説明】
【００１７】
【図１】本実施例に係る筆記具ケースを開いた状態の斜視図である。
【図２】同じく、開いた状態の（ａ）背面図、（ｂ）平面図、（ｃ）正面図である。
【図３】図２のIII―III線断面図であり、（ａ）は開いている状態、（ｂ）は閉じている状態である。
【図４】図２のIV―IV線断面図であり、（ａ）は開いている状態、（ｂ）は閉じている状態である。
【発明を実施するための形態】
【００１８】
図１、図２に示すように、この筆記具ケース１の本体２は平板状であり、中央で所要幅を有する折り目３を中心にして折り畳みが可能である。折り目３の幅は、後記する第１、第２収容室５，６の高さにほぼ相当するものである。折り畳み状態では、本体２から延びるバンド４先端の止め具４１と本体裏面に設けた止め具４２（図２（ａ））とを接合させて、閉鎖することができる。
【００１９】
本体２は、厚紙、プラスチックシート、木の薄板、等の腰のある素材を皮革張りして、高級感を醸し出すことが好ましい。そうすることにより、図１に示すように、開いたときにしっかり起立させることができる。
【００２０】
本体２の内側左右の収納面２１，２２の下部には、ペンや鉛筆などの細長い物品を収納するための第１収納室５が設けられている。第１収納室５は、皮革などをジグザグ状に折り曲げて凹凸を形成し、本体２と接触する凹部分５１において接合させて形成したものである。左右収納面２１，２２のそれぞれに凸部分５２によって形成される第１収納室５が３室ずつ形成されている。第１収納室５の下部は閉じられていてペンなどが下に抜け出ないようになっている。
【００２１】
図３（ａ）は筆記具ケース１を開いた状態の第１収納室５の横断面図である。筆記具ケース１を閉じると、（ｂ）に示すように、左右収納面２１，２２の第１収納室５の凹凸部分５１，５２がかみ合ってコンパクトに折りたたむことができる。凹凸がかみ合っているので、衝撃に対する緩衝能力も高い。
【００２２】
本体２の左右収納面２１，２２の上部には、それぞれ横方向に開口する第２収納室６が設けられている。第２収納室６は付箋や消しゴム等の短寸のものを収納するのに適している。第２収納室６は本体２内部の左右上部の左側半分の位置に設けられ、開口６１はそれぞれ右向きである。その結果、筆記具ケース１を折り畳んだとき、互いに向き合って開口部６１をふさぎ合う。
【００２３】
図４（ａ）は筆記具ケース１を開いた状態の第２収納室６の横断面図である。筆記具ケース１を閉じると、（ｂ）に示すように、左右の第２収納室６が重なることなく、並列するので、コンパクトに折りたたむことができる。この状態では、筆記具ケース１の上部が第２収納室６により塞がれるので、第１収納室５に入れられていたペンなどは上方へ抜け出ることがない。
【００２４】
図１、図２を再び参照すると、筆記具ケース１の中央部左面には、斜めに開口する第３収納室７が設けられている。これは定規など平坦なものを収納するのに適している。
【００２５】
筆記具ケース１の中央部右面には、上方が開口した２つの第４収納室８が設けられている。ここには名刺を入れたり、クリップ等の小物を収納したりすることができる。
【符号の説明】
【００２６】
１     筆記具ケース
２     本体
２１，２２    左右収納面
３     折り目
４     開閉用バンド
４１   止め具
４２   止め具
５     第１収納室
５１   凹部分
５２   凸部分
６     第２収納室
６１   開口
７     第３収納室
８     第４収納室
【図１】
2016202279.tif 000003
【図２】
2016202279.tif 000004
【図３】
2016202279.tif 000005
【図４】
2016202279.tif 000006